(57)【要約】【課題】マトリックス状に配置された多数のＬＥＤランプ全てが、同一色発光の文字、図形を表示するものがある。これに対して本発明は、同一基板の表面上において、２種類の発光色、２種類のパターンでもって表示させる２画面表示を提供するものである。【解決手段】基板の表面に第１の発光色を形成する第１発光単位部が所定間隔で列と行にてマトリクス状配列をなす第１発光素子群と、第２の発光色を形成する第２発光単位部のそれぞれが第１発光単位部の所定の列と行の中間に位置してマトリクス状配列をなす第２発光素子群を備え、第１発光素子群による第１発光色の発光状態と第２発光素子群による第２発光色の発光状態とに切り替える制御手段によって基板の同一表面上で２画面を形成すること。【選択図】図２
2010008747.tif 000002
【特許請求の範囲】
【請求項１】
基板の表面に、第１の発光色を形成する複数の第１発光素子が所定間隔で列と行にてマ
トリクス状配列をなす第１発光素子群と、前記第１発光素子の所定の列と行の中間に位置
して第２の発光色を形成する複数の第２発光素子が所定間隔で列と行にてマトリクス状配
列をなす第２発光素子群を備え、前記第１発光素子群による第１発光色の発光状態と前記
第２発光素子群による第２発光色の発光状態とに切り替える制御手段によって、前記基板
の同一表面上で２画面の発光表示を行なうことを特徴とする発光表示器。
【請求項２】
前記第１発光素子群をｎビットのドライバーＩＣにて点滅駆動すると共に、この第１発
光素子の行又は列をｎ−ｍに設定し、前記ドライバーＩＣの残りビットにて前記第２発光
素子群を点滅駆動することを特徴とする、前記請求項１に記載の発光表示器。
【請求項３】
前記ドライバーＩＣを１６ビットで構成し、前記第１発光素子群の列又は行を１２の整
数倍に設定すると共に、第２発光素子群の列又は行を４の整数倍に設定したことを特徴と
する、前記請求項１又は請求項２に記載の発光表示器。
【発明の詳細な説明】
【技術分野】
【０００１】
本発明は、多数の発光素子による発光表示器に関し、特に基板の同一表面に２画面を形
成する発光表示器に関する。
【背景技術】
【０００２】
赤色発光の赤色ＬＥＤをモールドまたは黄緑色発光の黄緑ＬＥＤをモールドし、赤色ま
たは黄緑色を発光するＬＥＤランプを多数マトリクス状に配置し、このＬＥＤランプを制
御して、文字、図形を単色（モノトーン）で表示する表示ユニットがある。（色は何色で
も構わない）。
【発明の開示】
【発明が解決しようとする課題】
【０００３】
マトリクス状に配置された多数のＬＥＤランプ全てが、単色（モノトーン）での表現し
かできないので、アイキャッチ性に乏しい表示しかできない。また、価格を抑えるために
、近年では１２ビットでの文字表示を行なう傾向にある。
【０００４】
本発明は、このような点に鑑みて、基板の同一表面に２画面を形成する表示器を提供す
る場合、発光素子である多数のＬＥＤを制御するドライバー回路を追加することなく、２
つの画面を表示し、アイキャッチ性を有する表示が達成できるようにして、低コスト化に
適した表示器を提供するものである。
【課題を解決するための手段】
【０００５】
第１発明の発光表示器は、基板の表面に、第１の発光色を形成する複数の第１発光素子
が所定間隔で列と行にてマトリクス状配列をなす第１発光素子群と、前記第１発光素子の
所定の列と行の中間に位置して第２の発光色を形成する複数の第２発光素子が所定間隔で
列と行にてマトリクス状配列をなす第２発光素子群を備え、前記第１発光素子群による第
１発光色の発光状態と前記第２発光素子群による第２発光色（第１発光色と異なる発光色
）の発光状態とに切り替える制御手段によって、前記基板の同一表面上で２画面の発光表
示を行なうことを特徴とする。
【０００６】
第２発明の発光表示器は、第１発明において、前記第１発光素子群をｎビットのドライ
バーＩＣにて点滅駆動すると共に、この第１発光素子の行又は列をｎ−ｍに設定し、前記
ドライバーＩＣの残りビットにて前記第２発光素子群を点滅駆動することを特徴とする。
【０００７】
第３発明の発光表示器は、第１発明または第２発明において、前記ドライバーＩＣを１
６ビットで構成し、前記第１発光素子群の列又は行を１２の整数倍に設定すると共に、第
２発光素子群の列又は行を４の整数倍に設定したことを特徴とする。
【発明の効果】
【０００８】
本発明によって、基板の同一表面に２画面を形成する表示器を提供する場合、発光素子
である多数のＬＥＤを制御するドライバー回路を追加することなく、基板の同一表面上で
２種類のパターンを２種類の発光色でもって表示させる２画面表示を形成することができ
、アイキャッチ性を有する表示が達成できると共に、低コスト化に適した表示器を提供す
ることができるものとなる。
【０００９】
また、第２発明は、第１発光素子群をｎビットのドライバーＩＣにて点滅駆動する構成
によって第１発光素子の行又は列をｎ−ｍに設定し、ドライバーＩＣの残りビットにて第
２発光素子群を点滅駆動する構成であり、ドライバーＩＣを追加することなく２つの画面
を表示し、低コスト化に適した表示器を提供できる。そして、第３発明では、１６ビット
のドライバーＩＣの採用にて、第１発光素子群の列又は行を１２の整数倍に設定し、第２
発光素子群の列又は行を４の整数倍に設定した構成によって、２つの画面表示として、低
コスト化に適した表示器とすることができるものとなる。
【発明を実施するための最良の形態】
【００１０】
本発明の発光表示器は、基板の表面に、第１の発光色を形成する複数の第１発光素子が
所定間隔で列と行にてマトリクス状配列をなす第１発光素子群と、前記第１発光素子の所
定の列と行の中間に位置して第２の発光色を形成する複数の第２発光素子が所定間隔で列
と行にてマトリクス状配列をなす第２発光素子群を備え、前記第１発光素子群による第１
発光色の発光状態と前記第２発光素子群による第２発光色（第１発光色と異なる発光色）
の発光状態とに切り替える制御手段によって、前記基板の同一表面上で２画面の発光表示
を行なうものであり、本発明の実施例を以下に記載する。
【実施例１】
【００１１】
本発明の実施形態について説明する。図１は本発明に係る発光表示器の制御装置の構成
図、図２は本発明に係る発光表示器の基板表面における発光素子の配置と駆動方式を示す
図、図３は本発明に係る発光表示器の基板表面における第１発光素子群による発光状態図
、図４は本発明に係る発光表示器の基板表面における第２発光素子群による発光状態図、
図５は図２に示す基板が３個直列配置された表示器の状態を示す正面図である。
【００１２】
これらの図において、１は本発明に係る発光表示器を示しており、発光表示器１は、基
板６Ａの同一表面に、第１発光色となる第１の単一発光色（実施例では赤色）を形成する
複数の第１発光素子２が所定間隔で列と行にてマトリクス状配列をなす第１発光素子群Ｆ
Ｇと、第１発光素子２の所定の列と行の中間に位置して第２発光色となる第２の単一発光
色（実施例では濃黄色）を形成する複数の第２発光素子３が所定間隔で列と行にてマトリ
クス状配列をなす第２発光素子群ＳＧを備えており、第１発光素子群ＦＧによる第１発光
色（実施例では赤色）の発光状態と第２発光素子群ＳＧによる第２発光色（上記第１発光
色と異なる発光色であり、実施例では濃黄色）の発光状態とに切り替える制御手段（制御
装置）５によって基板６Ａの同一表面上で２画面の発光表示を行なうものである。
【００１３】
この実施例を具体的に説明する。第１発光素子２は、第１の単一発光色（実施例では赤
色）を発光する単一のＬＥＤ（発光素子）であり、第２発光素子３は、第２の単一発光色
（実施例では濃黄色）を発光する単一のＬＥＤ（発光素子）である。図２に示すように、
第１発光素子２は、基板６Ａの同一表面上に所定間隔で、１２列２４行のマトリクス状配
列でもって第１発光素子群ＦＧを形成する。また、第２発光素子３は、基板６Ａの同一表
面上に所定間隔で、第１発光素子２の所定の列と行の中間に位置して、８列８行のマトリ
クス状配列でもって第２発光素子群ＳＧを形成する。
【００１４】
制御手段（制御装置）５は、主として、制御部１０、及びこれによって制御されるドラ
イブ回路（またはドライバーＩＣという）１０Ａ、１０Ｂを備えている。制御部１０は、
マイクロコンピュータ方式であり、ＣＰＵ（中央演算処理部）とデータを記憶するメモリ
等を備えている。そして、制御部１０は、第１発光素子群ＦＧによる表示と、第２発光素
子群ＳＧによる表示が、予めプログラム化された状態でメモリに格納されており、この表
示の切り替えが、タイマ機能によって所定時間間隔で自動的に切り替わるようにするか、
または手動スイッチＳＷによって人為的に切り替えできるように切り替え制御手段を備え
ている。この切り替えによって、第１発光素子群ＦＧ用のラインＦＧＬと第２発光素子群
ＳＧ用のラインＳＧＬのいずれかが選択される。
【００１５】
本発明では、第１発光素子群ＦＧをｎビットのドライブ回路（ドライバーＩＣ）１０Ａ
、１０Ｂにて点滅駆動すると共に、この第１発光素子２の行又は列をｎ−ｍ（ｎ及びｍは
整数）に設定し、ドライブ回路（ドライバーＩＣ）１０Ａ、１０Ｂの残りビットにて第２
発光素子群ＳＧを点滅駆動する。このｎビットが１６ビットであるドライブ回路（ドライ
バーＩＣ）を採用した実施形態について以下に記載する。
【００１６】
第１発光素子群ＦＧの各行の第１発光素子２の発光状態及び不発光状態、並びに第２発
光素子群ＳＧの各行の第２発光素子３の発光状態及び不発光状態は、制御部１０によって
、定電流のドライブ回路１０Ａの出力端子ＴＳの通電と非通電が制御されることにより行
われる。ドライブ回路１０Ａには、１６ビット（出力端子ＴＳが１６個あるもの）のドラ
イブ回路１０Ａ１と１０Ａ２を採用している。
【００１７】
具体的には、図２に示すように、１６ビットのドライブ回路１０Ａ１の端子番号１〜１
２、及び１６ビットのドライブ回路１０Ａ２の端子番号１〜１２の合計２４個の出力端子
ＴＳによって、第１発光素子群の２４行の制御を行うように構成されており、図２に示す
各行の１２個の第１発光素子２は、対応する前記出力端子ＴＳに接続されている。また、
ドライブ回路１０Ａ１の残りの端子番号１３〜１６、及びドライブ回路１０Ａ２の残りの
端子番号１３〜１６の合計８個の出力端子ＴＳによって、第２発光素子群の８行の制御を
行うように構成されており、図２に示す各行の８個の第２発光素子３は、対応する前記出
力端子ＴＳに接続されている。なお、第１発光素子群の２４行の制御及び第２発光素子群
の８行の制御として、いずれの出力端子ＴＳ番号を用いるかは、これに限定されない。
【００１８】
また、第１発光素子群ＦＧの各列の第１発光素子２の発光状態及び不発光状態、並びに
第２発光素子群ＳＧの各列の第２発光素子３の発光状態及び不発光状態は、制御部１０に
よって、定電流のドライブ回路１０Ｂの出力端子ＴＳの通電と非通電が制御されることに
より行われる。ドライブ回路１０Ｂには、１６ビット（出力端子ＴＳが１６個あるもの）
のドライブ回路１０Ｂを採用している。この採用によって、ドライブ回路のコストを比較
的低く抑えることができるメリットがある。
【００１９】
第１発光素子群ＦＧの各列と第２発光素子群ＳＧの各列の制御は、具体的には、図２に
示すように、１６ビットのドライブ回路１０Ｂの端子番号１〜１２の端子番号によって、
第１発光素子群の１２列の制御を行い、１６ビットのドライブ回路１０Ｂの端子番号３〜
１０の端子番号によって、第２発光素子群の８列の制御を行うように構成されている。な
お、第１発光素子群の１２列の制御及び第２発光素子群の８列の制御として、いずれの出
力端子ＴＳ番号を用いるかは、これに限定されない。
【００２０】
このような構成にすることによって、発光素子である多数のＬＥＤを制御するドライバ
ー回路を追加することなく、基板６Ａの同一表面上で２種類のパターンを２種類の発光色
でもって表示させる２画面表示を形成することができ、ドライブ回路のコストを比較的低
く抑えることができるメリットがある。
【００２１】
制御部１０によって、ドライブ回路１０Ａの２４個の出力端子ＴＳが通電と非通電に制
御され、ドライブ回路１０Ｂの１２個の出力端子ＴＳの通電と非通電が制御部１０によっ
て制御される。この場合、ドライブ回路１０Ａの出力端子ＴＳ、及びドライブ回路１０Ｂ
の出力端子ＴＳのうち、両方が通電である出力端子ＴＳに接続されている第１発光素子２
または第２発光素子３が発光するように、両出力端子ＴＳのＡＮＤ作用によって発光する
構成である。
【００２２】
第１発光素子群ＦＧの各行の第１発光素子２の発光状態に係わる制御として、ドライブ
回路１０Ａの２４行の出力端子ＴＳ（上記のように実施例では、ドライブ回路１０Ａ１の
端子番号１〜１２とドライブ回路１０Ａ２の端子番号１〜１２の合計２４個の出力端子Ｔ
Ｓに相当する）に対する制御信号は、制御部１０から第１発光素子群ＦＧ用のラインＦＧ
Ｌを通して供給され、入力ラインＬ１Ａのラッチ信号と、入力ラインＬ２Ａのクロック信
号と、入力ラインＬ３Ａの発光輝度信号と、入力ラインＬ４Ａのデータ信号が、ドライブ
回路１０Ａへ入力される。この入力ラインＬ４Ａから入力されるデータ信号は、いずれの
第１発光素子２を発光させるかの信号である。また、入力ラインＬ１Ａのラッチ信号は、
ドライブ回路１０Ａの出力端子ＴＳ（即ち、ドライブ回路１０Ａ１及び１０Ａ２の出力端
子ＴＳのうちの２４個の出力端子ＴＳであり、図２ではドライブ回路１０Ａ１の端子番号
１〜１２とドライブ回路１０Ａ２の端子番号１〜１２の合計２４個の出力端子ＴＳに相当
する）のいずれをＯＮ状態（通電状態）とするかの制御を行うものである。このため、入
力ラインＬ２Ａのクロック信号によるタイミングに基づき、入力ラインＬ４Ａのデータ信
号と入力ラインＬ１Ａのラッチ信号に基づいて、ドライブ回路１０Ａの上記２４個の出力
端子ＴＳに接続された所定の第１発光素子２の発光が制御される。なお、Ｌ５はドライブ
回路１０Ａに対する電源ラインである。
【００２３】
第１発光素子群ＦＧの各列の第１発光素子２の発光状態に係わる制御として、ドライブ
回路１０Ｂの１２列の出力端子ＴＳ（即ち、ドライブ回路１０Ｂの出力端子ＴＳのうちの
１２個の出力端子ＴＳであり、図２ではドライブ回路１０Ｂの端子番号１〜１２に相当す
る）に対する制御信号は、制御部１０から第１発光素子群ＦＧ用のラインＦＧＬを通して
供給され、入力ラインＬ１Ｂのラッチ信号と、入力ラインＬ２Ｂのクロック信号と、入力
ラインＬ３Ｂの発光輝度信号と、入力ラインＬ４Ｂのデータ信号が、ドライブ回路１０Ｂ
へ入力される。この入力ラインＬ４Ｂから入力されるデータ信号は、いずれの第１発光素
子２を発光させるかの信号である。また、入力ラインＬ１Ｂのラッチ信号は、ドライブ回
路１０Ｂの出力端子ＴＳ（即ち、ドライブ回路１０Ｂの出力端子ＴＳのうちの１２個の出
力端子ＴＳであり、図２ではドライブ回路１０Ｂの端子番号１〜１２に相当する）のいず
れをＯＮ状態（通電状態）とするかの制御を行うものである。このため、入力ラインＬ２
Ｂのクロック信号によるタイミングに基づき、入力ラインＬ４Ｂのデータ信号と入力ライ
ンＬ１Ｂのラッチ信号に基づいて、ドライブ回路１０Ｂの上記１２個の出力端子ＴＳに接
続された所定の第１発光素子２の発光が制御される。なお、Ｌ５はドライブ回路１０Ｂに
対する電源ラインである。
【００２４】
これによって、ドライブ回路１０Ａの出力端子ＴＳのうちのＯＮ状態（通電状態）の出
力端子ＴＳ（図では、ドライブ回路１０Ａ１の端子番号１〜１２及び１０Ａ２の端子番号
１〜１２の合計２４個の出力端子ＴＳのうちのＯＮ状態のもの）の行と、ドライブ回路１
０Ｂの出力端子ＴＳ（即ち、ドライブ回路１０Ｂの端子番号１〜１２の合計１２個の出力
端子ＴＳ）のうちのＯＮ状態（通電状態）の列とのＡＮＤ作用によって、そこに接続され
ている第１発光素子２が発光するものである。このように、行方向の両出力端子ＴＳと列
方向の出力端子ＴＳとのＡＮＤ作用によって第１発光素子２の発光が制御され、所定の発
光パターンによる文字、図形等が形成されるものである。図３に、第１発光素子群ＦＧに
よる１つの発光パターンを示している。
【００２５】
上記切り替え制御手段によって、第１発光素子群ＦＧの発光状態から第２発光素子群Ｓ
Ｇの発光状態に切り替えた場合において、第２発光素子群ＳＧの各行の第２発光素子３の
発光状態に係わる制御として、ドライブ回路１０Ａの８行の出力端子ＴＳ（即ち、ドライ
ブ回路１０Ａ１及び１０Ａ２の出力端子ＴＳのうちの８個の出力端子ＴＳであり、上記の
ように図２では、ドライブ回路１０Ａ１の端子番号１３〜１６とドライブ回路１０Ａ２の
端子番号１３〜１６の合計８個の出力端子ＴＳに相当する）に対する制御信号は、制御部
１０から第２発光素子群ＳＧ用のラインＳＧＬを通して供給され、入力ラインＬ１Ａのラ
ッチ信号と、入力ラインＬ２Ａのクロック信号と、入力ラインＬ３Ａの発光輝度信号と、
入力ラインＬ４Ａのデータ信号が、ドライブ回路１０Ａへ入力される。この入力ラインＬ
４Ａから入力されるデータ信号は、いずれの第２発光素子３を発光させるかの信号である
。また、入力ラインＬ１Ａのラッチ信号は、ドライブ回路１０Ａの出力端子ＴＳ（即ち、
ドライブ回路１０Ａ１及び１０Ａ２の出力端子ＴＳのうちの８個の出力端子ＴＳであり、
図２ではドライブ回路１０Ａ１の端子番号１３〜１６とドライブ回路１０Ａ２の端子番号
１３〜１６の合計８個の出力端子ＴＳに相当する）のいずれをＯＮ状態（通電状態）とす
るかの制御を行うものである。このため、入力ラインＬ２Ａのクロック信号によりタイミ
ングに基づき、入力ラインＬ４Ａのデータ信号と入力ラインＬ１Ａのラッチ信号に基づい
て、ドライブ回路１０Ａの上記８個の出力端子ＴＳに接続された所定の第２発光素子３の
発光が制御される。
【００２６】
また、第２発光素子群ＳＧの各列の第２発光素子３の発光状態に係わる制御として、ド
ライブ回路１０Ｂの８列の出力端子ＴＳ（即ち、ドライブ回路１０Ｂの出力端子ＴＳのう
ちの８個の出力端子ＴＳであり、図２ではドライブ回路１０Ｂの端子番号３〜１０に相当
する）に対する制御信号は、制御部１０から第２発光素子群ＳＧ用のラインＳＧＬを通し
て供給され、入力ラインＬ１Ｂのラッチ信号と、入力ラインＬ２Ｂのクロック信号と、入
力ラインＬ３Ｂの発光輝度信号と、入力ラインＬ４Ｂのデータ信号が、ドライブ回路１０
Ｂへ入力される。この入力ラインＬ４Ｂから入力されるデータ信号は、いずれの第２発光
素子３を発光させるかの信号である。また、入力ラインＬ１Ｂのラッチ信号は、ドライブ
回路１０Ｂの出力端子ＴＳ（即ち、ドライブ回路１０Ｂの出力端子ＴＳのうちの８個の出
力端子ＴＳであり、図２ではドライブ回路１０Ｂの端子番号３〜１０に相当する）のいず
れをＯＮ状態（通電状態）とするかの制御を行うものである。このため、入力ラインＬ２
Ｂのクロック信号によりタイミングに基づき、入力ラインＬ４Ｂのデータ信号と入力ライ
ンＬ１Ｂのラッチ信号に基づいて、ドライブ回路１０Ｂの上記８個の出力端子ＴＳ（即ち
、ドライブ回路１０Ｂの１６個の出力端子ＴＳのうちの８個の出力端子ＴＳ）に接続され
た所定の第２発光素子３の発光が制御される。
【００２７】
これによって、ドライブ回路１０Ａの出力端子ＴＳのうちのＯＮ状態（通電状態）の出
力端子ＴＳ（図では、ドライブ回路１０Ａ１の端子番号１３〜１６及び１０Ａ２の端子番
号１３〜１６の合計８個の出力端子ＴＳのうちのＯＮ状態のもの）の行と、ドライブ回路
１０Ｂの８個の出力端子ＴＳ（即ち、ドライブ回路１０Ｂの端子番号３〜１０の合計８個
の出力端子ＴＳ）のうちのＯＮ状態（通電状態）の列とのＡＮＤ作用によって、そこに接
続されている第２発光素子３が発光するものである。このように、行方向の両出力端子Ｔ
Ｓと列方向の出力端子ＴＳとのＡＮＤ作用によって第２発光素子３の発光が制御され、所
定の発光パターンによる文字、図形等が形成されるものである。図４に、第２発光素子群
ＳＧによる１つの発光パターンを示している。
【００２８】
上記の説明では、第１発光素子群ＦＧを構成する第１発光素子２が１２列、２４行にて
マトリクス状配列であり、また、第２発光素子群ＳＧを構成する第２発光素子３が８列、
８行にてマトリクス状配列であるが、この列と行はこれに限定されない。
【００２９】
上記のように基板６Ａの同一表面上に、第１発光素子群ＦＧと第２発光素子群ＳＧが配
列された基板６Ａを、図５に示すように行方向に複数枚平面状に直列配置し、制御部１０
によって、例えば、右から左へ向かって所定の発光パターン（例えば、図３または図４の
発光パターン）が移動するように、ドライブ回路１０Ａ及び１０Ｂの出力端子ＴＳを制御
すれば、表示効果の向上となる。
【００３０】
なお、本発明に係る発光表示器１は、上記の制御手段（制御装置）５及び１乃至複数枚
の基板６Ａが装飾外殻体内に収納され、この１乃至複数枚の基板６Ａが正面から目視でき
るように構成され、営業案内、標識用等として利用されるものである。このため、図１に
示すように、制御部１０には、商用電源のコンセントに差し込まれる差し込みプラグ１６
から、電源部を構成するフィルター回路１９とスイッチング電源２０を通して５ボルト電
源が印加されている。制御部１０は、本発明に係る発光表示器１内の内部空間の温度を温
度感知センサ２１の検知に基づき、所定温度以上において送風機１２を運転して、発光素
子２、３を含む基板６Ａ及び制御部１０を過熱から保護する。また、発光表示器１内の内
部空間には温度保護用センサ２２が設けられ、異常温度に達したとき制御部１０への通電
を遮断するようにして安全維持を図っている。
【００３１】
また、発光表示器１の周囲の照度を照度センサ１８によって感知し、発光表示器１の周
囲が所定の値よりも明るい場合は、発光輝度信号入力ラインＬ３Ａ、ＬＢ３のＤＵＴＹ比
（デューティ比）を上げて、発光素子２または３の発光度を上げるようにすれば、昼間の
明るい状態でも、発光表示器１による表示を鮮明にすることができ、また、夜間等の暗い
状態では、発光輝度信号入力ラインＬ３Ａ、ＬＢ３のＤＵＴＹ比（デューティ比）を下げ
て、発光素子２または３の発光度を下げるようにすれば、消費電力の低減による省エネ効
果が期待できる。
【００３２】
また、発光表示器１の動作は、リモートコントローラ１１によって制御できる。この場
合、リモートコントローラ１１から発する無線信号や赤外線信号を制御部１０が受信セン
サ１７で受信して、発光表示器１の動作のＯＮ／ＯＦＦ制御や、発光素子２、３の発光輝
度の変更や、発光パターンの選択、第１発光素子群による発光か第２発光素子群による発
光かの切り替え等を操作できるようにする。
【産業上の利用可能性】
【００３３】
本発明は、上記実施例に示した構成に限定されず、上記の基本形態を維持しつつ各種の
構成を含む発光表示器とすることができるものであり、本発明の技術範囲内において種々
の形態を包含するものである。
【図面の簡単な説明】
【００３４】
【図１】本発明に係る発光表示器の制御装置の構成図である。
【図２】本発明に係る発光表示器の基板表面における発光素子の配置と駆動方式を示す図である。
【図３】本発明に係る発光表示器の基板表面における第１発光素子群による発光状態図である。
【図４】本発明に係る発光表示器の基板表面における第２発光素子群による発光状態図である。
【図５】図２に示す基板が３個直列配置された表示器の状態を示す正面図である。
【符号の説明】
【００３５】
１・・・・・発光表示器
２・・・・・第１発光素子
３・・・・・第２発光素子
５・・・・・制御手段（制御装置）
６Ａ・・・・基板
１０・・・・制御部
１０Ａ・・・定電流のドライブ回路
１０Ａ１、１０Ａ２・・・１６ビットのドライブ回路
１０Ｂ・・・定電流のドライブ回路
ＦＧ・・・・第１発光素子群
ＳＧ・・・・第２発光素子群
ＴＳ・・・・出力端子
Ｌ１Ａ・・・ラッチ信号入力ライン
Ｌ２Ａ・・・クロック信号入力ライン
Ｌ３Ａ・・・発光輝度信号入力ライン
Ｌ４Ａ・・・データ信号入力ライン
Ｌ１Ｂ・・・ラッチ信号入力ライン
Ｌ２Ｂ・・・クロック信号入力ライン
Ｌ３Ｂ・・・発光輝度信号入力ライン
Ｌ４Ｂ・・・ラッチ信号入力ライン
Ｌ５・・・・電源ライン
【図１】
2010008747.tif 000003
【図２】
2010008747.tif 000004
【図３】
2010008747.tif 000005
【図４】
2010008747.tif 000006
【図５】
2010008747.tif 000007